(57)【要約】【課題】手を握る動作による変形に追従し、かつフィット感としっかり感を両立し、かつ保護機能及び運動機能の高い手袋を提供する。【解決手段】第３指（中指）、第４指（薬指）、及び第５指（小指）から選ばれる少なくとも一つの指に対応する前面と背面に保護部材（２ａ−２ｅ）を配置し、両側面に伸縮性部材（４ａ−６ａ）を配置して指袋を構成した手袋であって、前記指袋の内周は指の外周と実質的に同一であり、前記各指両側面の伸縮性部材の緊締性は、第１指（親指）側が第５指（小指）側よりも高く、前記手袋を開いた状態から握る位置まで曲げたとき、第１指（親指）側に向けた握り角に沿って捩れて曲がる。【選択図】図１
2007325873.tif 000002
【特許請求の範囲】
【請求項１】
第３指（中指）、第４指（薬指）、及び第５指（小指）から選ばれる少なくとも一つの指に対応する前面と背面に保護部材を配置し、両側面に伸縮性部材を配置して指袋を構成した手袋であって、
前記指袋の内周は指の外周と実質的に同一であり、
前記各指両側面の伸縮性部材の緊締性は、第１指（親指）側が第５指（小指）側よりも高く、
前記手袋を開いた状態から握る位置まで曲げたとき、第１指（親指）側に向けた握り角に沿って捩れて曲がることを特徴とする手袋。
【請求項２】
前記伸縮性部材は、第１指（親指）側が第５指（小指）側に比較して伸縮力の高い素材で構成されている請求項１に記載の手袋。
【請求項３】
前記伸縮性部材は、第１指（親指）側が第５指（小指）側に比較して相対的に緊張して接合されている請求項１又は２に記載の手袋。
【請求項４】
前記伸縮性部材と保護部材は、縫製又は接着によって接合一体化されており、第１指（親指）側の伸縮性部材の接合代（Ａ１）長さと、前記接合代（Ａ１）と対応する保護部材の接合代（Ｂ１）長さとの差が、第５指（小指）側の伸縮性部材の接合代（Ａ２）長さと、前記接合代（Ａ２）と対応する保護部材の接合代（Ｂ２）長さとの差よりも大きい請求項１〜３のいずれかに記載の手袋。
【請求項５】
前記保護部材の第１指（親指）側接合代（Ｂ１）又は、前記第１指（親指）側接合代（Ｂ１）と第５指（小指）側接合代（Ｂ２）に１又は、複数の絞り部分を形成し、第１指（親指）側接合代（Ｂ１）長さを、第５指（小指）側接合代（Ｂ２）長さよりも長くする請求項１〜４のいずれか１項に記載の手袋。
【請求項６】
前記伸縮性部材の第１指（親指）側は第５指（小指）側に比較して相対的に伸縮力が、第３指（中指）で４〜８％、第４指（薬指）で１０〜１４％及び第５指（小指）で１５〜１９％の範囲高い請求項１〜５のいずれか１項に記載の手袋。
【請求項７】
前記保護部材は、天然皮革、人工皮革又は合成皮革である請求項１〜６のいずれか１項に記載の手袋。
【請求項８】
前記伸縮性部材は編み物、織物、前記保護部材よりも相対的に伸長する天然皮革、人工皮革又は、合成皮革である請求項１〜６のいずれか１項に記載の手袋。
【発明の詳細な説明】
【技術分野】
【０００１】
本発明は、主としてゴルフ、野球などのスポーツに好適な手袋に関する。
【背景技術】
【０００２】
ゴルフや野球など、クラブやバットを握るスポーツにおいては、主として手の保護のために手袋が使用されている。手を開いた状態からクラブやバットを握る際には、手は大きく変形する。とくに手の背面（甲部）の基節骨（繋骨）及び中節骨（冠骨）の部分は大きく変形する。このため、皮革のような伸びのない材料のみで手袋を作成すると、硬くてフィット感がなくなり、着用感も良好ではなくなる。逆にメッシュ材料や伸縮性材料のみで手袋を作成すると、伸びはよいが頼りない着用感となる。また、中指、薬指、小指については、物を握る動きをするにつれて関節軸が捻れる事がわかっており、それによって手袋と手の間にずれが生じ、グリップ物と手の間に縫製線が移動してしまって、結果として違和感を生じてしまう事などが問題となっている。
【０００３】
このような問題を解決するため、指袋の片側（親指側）のマチ部に伸縮性部材を配置することにより、グリップ時の捩れを解消した手袋が提案されている（特許文献１）。この提案は片側（親指側）に伸縮生地を使用することで捩れを解消できるが、指袋が指にフィットせず、かつ捻り角度と大きさの制御が困難であるという問題があった。
【０００４】
別の提案として、マチを掌側に屈曲した状態にカッティングすることにより、指袋をあらかじめ掌側に屈曲させておく手袋が提案されている（特許文献２）。この提案は指をグリップした状態ではフィットするが、指を伸ばした状態ではフィットせず、ねじりに対しても追随できないという問題がある。
【０００５】
以上のとおり、従来技術においては手指の複雑な三次元的変形に追随できないという問題がある。
【特許文献１】実用新案登録第３０３１３９６号公報
【特許文献２】実開平４−１３６２６５号公報
【発明の開示】
【発明が解決しようとする課題】
【０００６】
本発明は、前記従来の問題を解決するため、手を握る動作による変形に追従し、かつフィット感としっかり感を両立し、かつ保護機能及び運動機能の高い手袋を提供する。
【課題を解決するための手段】
【０００７】
本発明の手袋は、第３指（中指）、第４指（薬指）、及び第５指（小指）から選ばれる少なくとも一つの指に対応する前面と背面に保護部材を配置し、両側面に伸縮性部材を配置して指袋を構成した手袋であって、前記指袋の内周は指の外周と実質的に同一であり、前記各指両側面の伸縮性部材の緊締性は、第１指（親指）側が第５指（小指）側よりも高く、前記手袋を開いた状態から握る位置まで曲げたとき、第１指（親指）側に向けた握り角に沿って捩れて曲がることを特徴とする。
【発明の効果】
【０００８】
本発明の手袋は、手を握る動作による変形に追従し、かつフィット感としっかり感を両立し、かつ保護機能及び運動機能の高い手袋を提供できる。すなわち、手袋を開いた状態から握る位置まで曲げたとき、前面の親指側の保護部材と伸縮性部材との接合部分が掌側に移動することがなく、前記接合部分は指の側面に固定されたままとなる。言い換えると、第１指（親指）側に向けた握り角度に沿って捩れる。これにより、手を握る動作による変形に追従できる。また指の前面と背面に保護部材を配置しているので、手の力が手袋へ伝わりやすい為にしっかり感を発揮できる。この結果、保護機能及び運動機能の高い手袋を提供できる。
【発明を実施するための最良の形態】
【０００９】
本発明の説明にあたり、まず手指の骨について説明する。図８は人の左手を背面（甲側）から見た透視図である。手指は第１指（親指）２１、第２指（示指）２２、第３指（中指）２３、第４指（薬指）２４及び第５指（小指）２５からなり、第２指（示指）２２を例に挙げると末端側から末節骨２６、中節骨２７、及び基節骨２８であり、中手骨２９に接続している。その次にいくつかの小さな骨に接続し、手根３０に至る。手根３０に対面して腕の骨である橈骨３１と尺骨３２が存在する。通常、手首とは手根３０近辺から橈骨３１及び尺骨３２の先端付近にかけての領域をいう。
【００１０】
本発明者らは、野球やゴルフなどのスポーツにおけるグリップ時の指関節の動きに注目して、様々に分析を行った。とくに第３指（中指）、第４指（薬指）及び第５指（小指）は、開いた状態から握る状態にすると、単純なヒンジ構造のように折れ曲がるのではなく、回転軸そのものがねじれながら屈曲する為に、親指側に捩れながら曲がる。例えば、掌を開いた状態を基準として、バットをグリップするまでの動きの中でのそれぞれの指の平均的捻れ角度は、第３指（中指）は３．２°、第４指（薬指）は６．９°、第５指（小指）は１０．７°であった。この場合において、角度とは、基節骨を基準とした掌延長上の平面に対して、末節骨の長軸がその平面上に投影した際の長軸の捻れた角度のことを表す。このような指の動きに追従させるため、指の前面と背面に保護部材を配置し、少なくとも第３指（中指）、第４指（薬指）及び第５指（小指）の両側面に伸縮性部材を配置して指袋を構成する。一例として保護部材は指幅と同一か又は狭くし、伸縮性部材は指の厚さと同一か又は狭くすることにより、指袋の内周は指の外周と実質的に同一とする。そして、各指側面の第１指（親指）側の緊締性を、第５指（小指）側の緊締性よりも高くすることにより、手袋を開いた状態から握る位置まで曲げたとき、各指の指袋はいずれも指にフィットしたまま第１指（親指）側に向けた握り角度に沿って捩れる手袋とすることができる。
【００１１】
本発明において、指袋の内周は指の外周と実質的に同一とする。ここで実質的同一とは、指袋の内周を指の外周の±１０％以内をいう。
【００１２】
以下図面を用いて本発明の一実施例をさらに具体的に説明する。
【００１３】
図１〜３は野球用手袋の一例であり、図１は本発明の手袋の背面図、図２は同正面図、図３は同手袋をして握った状態の正面図である。この手袋は、指の前面と背面に天然皮革又は人工皮革からなる保護部材（前面部材１ａ〜１ｅ、背面部材２ａ〜２ｅ）を配置し、少なくとも第３指（中指）、第４指（薬指）及び第５指（小指）の両側面に伸縮性部材（４ａ，４ｂ，５ａ，５ｂ，６ａ，６ｂ）を配置して指袋を構成する。
【００１４】
本発明において、第３〜５指側面の伸縮性部材の緊締性を親指側の方を小指側よりも高くするには、例えば次の手段がある。
（１）伸縮力の相違する生地を用いて、前記各指の第１指（親指）側（４ａ，５ａ，６ａ）の緊締性を、第５指（小指）側（４ｂ，５ｂ，６ｂ）の緊締性よりも高くする。
（２）伸縮性部材は、第１指（親指）側を第５指（小指）側に比較して相対的に緊張して接合する。この場合は、伸縮力の相違する生地でも同一の生地を用いてもよい。
【００１５】
前記（２）の場合において、具体的には前記伸縮性部材と保護部材は、縫製又は接着によって接合一体化する際、第１指（親指）側の伸縮性部材の接合代（Ａ１）長さと、前記接合代（Ａ１）と対応する保護部材の接合代（Ｂ１）長さとの差を、第５指（小指）側の伸縮性部材の接合代（Ａ２）長さと、前記接合代（Ａ２）と対応する保護部材の接合代（Ｂ２）長さとの差よりも大きくするのが好ましい。さらに好ましくは、前記保護部材の第１指（親指）側接合代（Ｂ１）又は、前記第１指（親指）側接合代（Ｂ１）と第５指（小指）側接合代（Ｂ２）に１又は、複数の絞り部分を形成し、第１指（親指）側接合代（Ｂ１）長さを、第５指（小指）側接合代（Ｂ２）長さよりも長くする。上記の場合、親指側小指側それぞれにおいて、伸縮性部材と保護部材の接合前の長さの差が大きいほど（ここで言う差とは伸縮性部材が保護部材よりどれだけ短いかということである）、接合時に伸縮性部材を緊張させることとなり、結果として緊締性が高くなるので、親指側への捻れを生じさせることが可能となる。以下においては、接合時に伸縮性部材を緊張させて接合させることを前提とし、単に接合距離で表現する場合もある。
【００１６】
伸縮性部材は編み物、織物、前記保護部材よりも相対的に伸長する天然皮革、人工皮革又は合成皮革である。伸縮力は、ＪＩＳ１０９６で測定した幅５ｃｍにおける４．９Ｎ（５００ｇｆ）荷重時の伸長率は、経方向及び緯方向から選ばれる少なくとも一方が５〜１５０％の範囲が好ましい。この範囲であれば手指の動きに追従しフィット感が高い。幅が５ｃｍに満たない場合は、荷重を比例で下げる。例えば幅が１ｃｍの場合は荷重を１／５とする。伸縮性部材の目付けは１００〜４００ｇ／ｍ2の範囲が好ましい。この範囲であれば重量感もなくフィット感が高い。
【００１７】
伸縮性部材は、各指側面の第１指（親指）側（４ａ，５ａ，６ａ）の伸縮率を、第５指（小指）側（４ｂ，５ｂ，６ｂ）の伸縮率よりも４〜２０％高くするのが好ましい。
【００１８】
伸縮性部材（３ｂ，４ａ，４ｂ，５ａ，５ｂ，６ａ，６ｂ）と保護部材（前面部材１ａ〜１ｅ、背面部材２ａ〜２ｅ）は、縫製又は接着によって一体化し、第３〜第５指の親指側の接合距離を、小指側の接合距離よりも長くする場合は、伸縮性部材と保護部材の接合距離は、親指側が小指側よりも、第３指（中指）で４〜８％、第４指（薬指）で１０〜１４％、及び第５指（小指）で１５〜１９％の範囲長くするのが好ましい。これによっても親指側への捻れを発現できる。この場合、親指側の伸縮性部材（４ａ，５ａ，６ａ，）と小指側の伸縮性部材（４ｂ，５ｂ，６ｂ）とは同一の伸縮力の材料を使用でき、緊締性は着用して官能試験より測定する。すなわち、前記したとおり、各指側面の親指側（４ａ，５ａ，６ａ）の伸縮力を、小指側（４ｂ，５ｂ，６ｂ）の伸縮力よりも４〜２０％高くし、接合距離は親指側と小指側を同一にした手袋と同一の緊締性を示すか否かを着用による官能試験により調べる。伸縮性部材は、第１指（親指）側を第５指（小指）側に比較して相対的に緊張して接合する場合も官能試験により測定する。
【００１９】
伸縮性部材と保護部材の接合距離を長くするには、左手用手袋の場合、図４Ａ〜Ｋに示すように手の甲（裏面）側の保護部材の右側のカット長さを長くする。そして長いカット面を親指方向とする。あるいは図５Ｂに示すように指の長さ方向に沿った中心線を短いカット長さの方向にずらせる。これによっても親指側への捻れを発現できる。
【００２０】
保護部材は天然皮革、人工皮革又は合成皮革であることが好ましい。これにより、指の保護機能と運動機能を高く維持できる。
【００２１】
伸縮性部材の第１指（親指）側の伸縮性を、第５指（小指）側の伸縮力よりも高くしても良い。これにより、同様に各指側面の第１指（親指）側の伸縮力を、第５指（小指）側の伸縮力よりも高くすることができる。
【００２２】
各指側面の第１指（親指）側の伸縮力は、第３指（中指）が４〜８％、第４指（薬指）が１０〜１４％及び第５指（小指）が１５〜１９％の範囲、第５指（小指）側の伸縮力よりも高いことが好ましい。さらに好ましくは、第３指（中指）が５〜７％、第４指（薬指）が１１〜１３％及び第５指（小指）が１６〜１７％の範囲、第５指（小指）側の伸縮力よりも高くする。これにより、指の捩れの動作に追従できる。
【００２３】
また、図１に示すように、伸縮性部材及び保護部材の第３指（中指）、第４指（薬指）及び第５指（小指）の各中節骨と末節骨を覆う位置に絞り部分（７ａ〜７ｄ，８ａ〜８ｄ，９ａ〜９ｄ）を形成し、前記絞り部分の第１指（親指）側の絞り（７ａ，７ｃ，８ａ，８ｃ，９ａ，９ｃ）を深く形成しても良い。これにより、同様に各指側面の第１指（親指）側の緊締性を、第５指（小指）側の緊締性よりも高くすることができる。このとき、甲側の絞り部分を指先側に配置し、掌側の絞り部分を指元側に配置すると、指の握り動作にさらに追従できる。
【００２４】
また、手袋を開いた状態から握る位置まで曲げたときの捻れ角は、第１指（親指）側方向に、第３指（中指）が２〜４．５°、第４指（薬指）が５．５〜８．５°、及び第５指（小指）が９〜１２°の範囲であることが好ましい。さらに好ましくは、第３指（中指）が２．７〜３．７°、第４指（薬指）が６．４〜７．４°、及び第５指（小指）が１０．２〜１１．３°の範囲である。
【００２５】
次に図６Ａ−Ｂは同手袋をしたときの中指の例をとってその握りの動きを示す側面図である。図６Ａに示すように、手の甲（裏面）側の保護部材である背面部材２ｃの絞り部分７ａ，７ｃの位置に比較して、前面部材１ｃの絞り部分１０ａ，１０ｃの位置を０．５〜３ｍｍの範囲で下げる。このようにすると図６Ｂに示すように指を握ったとき絞り部が指の動きに追従でき、フィット間を高めることができる。Ｌ１，Ｌ２は絞り部分から絞り部分までの距離である。図７Ａ−Ｂは保護部材の背面部材（ａ）と前面部材（ｂ）の展開図であり、前面部材の絞り部分の位置を下げていることがわかる。
【実施例】
【００２６】
以下実施例により本発明をさらに具体的に説明する。
【００２７】
（実施例１）
図１〜３に示す野球用手袋を作成した。各部材は次のとおりである。ただし、指袋の保護部材には絞りを入れなかった。
（１）掌部１５から指の前面の保護部材（１ｂ〜１ｅ）（一体）、及び親指前面の保護部材（１ａ）
目付け２９７ｇ／ｍ2の天然牛皮革
（２）手の甲及び指の背面の保護部材
目付け２９７ｇ／ｍ2の天然牛皮革
（３）指の側面の伸縮性部材
目付け２１５ｇ／ｍ2のナイロンとポリウレタン繊維からなるツーウェイ編み物、５ｃｍ幅における４．９Ｎ（５００ｇｆ）荷重時の伸長率は、次のものを使用した。
中指の親指側側面：経方向７５％、緯方向７０％のものを経方向が指側面の長さ方向となるように配置した。
中指の小側側面：経方向８２％、緯方向７５％のものを経方向が指側面の長さ方向となるように配置した。
薬指の親指側側面：経方向７２％、緯方向６７％のものを経方向が指側面の長さ方向となるように配置した。
薬指の小側側面：経方向８２％、緯方向７５％のものを経方向が指側面の長さ方向となるように配置した。
小指の親指側側面：経方向７０％、緯方向６５％のものを経方向が指側面の長さ方向となるように配置した。
小指の掌横側面：経方向８２％、緯方向７５％のものを経方向が指側面の長さ方向となるように配置した。
（４）指袋の内周
指袋の内周を指の外周と実質的に同一とするため、各指の基節骨と中節骨間の関節を覆う部分の内周を次のとおりとした。下記の値は平均的な人の指の外周に相当する。
親指：６５ｍｍ
示指：５５ｍｍ
中指：５８ｍｍ
薬指：５５ｍｍ
小指：５０ｍｍ
（５）手の甲の伸縮性部材
目付け２１５／ｍ2のナイロンとポリウレタン繊維からなるツーウェイ編み物、５ｃｍ幅における４．９Ｎ（５００ｇｆ）荷重時の伸長率は、経方向８２％、緯方向７５％のものを緯方向が甲の長さ方向となるように配置した。
【００２８】
その結果、図３に示すように中指の捩れ角度θ１は約２．３°、薬指の捩れ角度θ２は約４．７°、小指の捩れ角度θ３は約８．０°の手袋とすることができた。
【００２９】
以上のように構成した手袋を用いて野球バットを握ったところ、各指の指袋はいずれも指にフィットしたまま第１指（親指）側に向けた握り角度に沿って捩れることが確認できた。またこの手袋は、手を握る動作による変形に追従し、掌側の保護部材（天然皮革）は左右への動きもなく、縫製線が手とバットの間に入ることもなく、フィット感としっかり感があり、かつ保護機能及び運動機能の高い手袋であることも確認できた。
【００３０】
（実施例２）
図１〜３に示す野球用手袋を作成した。各部材は次のとおりである。
（１）掌部１５から指の前面の保護部材（１ｂ〜１ｅ）（一体）、及び親指前面の保護部材（１ａ）
目付け２９７ｇ／ｍ2の天然牛皮革
（２）手の甲及び指の背面の保護部材
目付け２９７ｇ／ｍ2の天然牛皮革
（３）指の側面の伸縮性部材
目付け２１５ｇ／ｍ2のナイロンとポリウレタン繊維からなるツーウェイ編み物、５ｃｍ幅における４．９Ｎ（５００ｇｆ）荷重時の伸長率は、経方向８２％、緯方向７５％のものを経方向が指側面の長さ方向となるように配置した。
（４）指袋の内周
実施例１と同一とした。
（５）手の甲の伸縮性部材
目付け２１５ｇ／ｍ2のナイロンとポリウレタン繊維からなるツーウェイ編み物、５ｃｍ幅における４．９Ｎ（５００ｇｆ）荷重時の伸長率は、経方向８２％、緯方向７５％のものを経方向が甲の長さ方向となるように配置した。
【００３１】
図１〜２に示すように指の保護部材に絞り部を入れて縫製した。このとき、図６に示すように、指の表面側の絞り部を裏面側の絞り部よりも３ｍｍ下方とし、Ｌ１は１８ｍｍ、Ｌ２は１７ｍｍとした。絞り幅については、図１のように、親指側を深く、小指側を浅くすることによって、直線での接合距離の場合に対して、親指側で１２％、小指側で５％の接合距離の増加が見られた。指の側面の伸縮性部材が親指側と小指側で同じ伸縮力の材料を用いている為、親指側の方が接合時により材料を緊張させた状態で接合することとなり、結果として親指側へ力が作用することとなる。指が屈曲するに伴ってこの効果は大きくなる為、手袋が指の捻れに追随することが可能となり、図３に示すように中指の捩れ角度θ１は約２．５°、薬指の捩れ角度θ２は約５．２°、小指の捩れ角度θ３は約８．７°の手袋とすることができ、縫製線が手とバットの間に入ることもなく、フィット感としっかり感があり、かつ保護機能及び運動機能の高い手袋であることも確認できた。
【００３２】
（実施例３）
実施例２のように指の保護部材に絞り部を入れ、かつ伸縮性部材は実施例１と同様に親指側と小指側で異なる伸縮力の編み物を使用した。他の部分は実施例１と同様とした。
【００３３】
その結果、図３に示すように中指の捩れ角度θ１は約３．２°、薬指の捩れ角度θ２は約６．９°、小指の捩れ角度θ３は約１０．７°の手袋とすることができた。
【００３４】
以上のように構成した手袋を用いて野球バットを握ったところ、実施例と同様に、各指の指袋はいずれも指にフィットしたまま第１指（親指）側に向けた握り角度に沿って捩れることが確認できた。またこの手袋は、手を握る動作による変形に追従し、掌側の保護部材（天然皮革）は左右への動きもなく、縫製線が手とバットの間に入ることもなく、フィット感としっかり感があり、かつ保護機能及び運動機能の高い手袋であることも確認できた。
【００３５】
（比較例１）
図９は比較例１の手袋の正面図である。実施例１と異なる点は、指袋の側面に前面と同一の保護部材（１９ａ〜１９ｇ）を縫製により一体化している点である。この手袋を用いて野球バットを握ったところ、中指と薬指と小指の前面保護部材と側面伸縮性部材との親指側縫製線１６，１７，１８が各指とバットとの間に移動し、握り心地が悪かった。すなわち、前記縫製線１６，１７，１８は中指と薬指と小指とバットとの間に入ってしまった。この現象は、各指は第１指（親指）側に向けて握り角度に沿って捩れるが、手袋は固定されたまま単に前側に曲がるだけなので、指の捻れ角の分だけ指と指袋は移動してしまうことによる。
[産業上の利用分野]
【００３６】
本発明の手袋は、ゴルフ、野球、テニス、バドミントン、スカッシュ、スキー、登山、ウォーキングなどのスポーツ、オートバイや自転車などに好適に使用できる。
【図面の簡単な説明】
【００３７】
【図１】図１は本発明の一実施例における手袋の背面図。
【図２】図２は同正面図。
【図３】図３は同、手袋をして握った状態の正面図。
【図４】図４Ａ〜Ｋは本発明の一実施例における保護部材のカットパターンを示す平面図。
【図５】図５Ａ〜Ｂは本発明の別の実施例における保護部材のカットパターンを示す平面図。
【図６】図６Ａ−Ｂは本発明の一実施例における手袋をしたときの中指の握りの動きを示す側面図。
【図７】図７Ａ−Ｂは本発明の一実施例における保護部材の背面部材（ａ）と前面部材（ｂ）の展開図。
【図８】図８は同、手指の骨を説明する図である。
【図９】図９は比較例の手袋の正面図である。
【符号の説明】
【００３８】
１ａ〜１ｅ  保護部材からなる前面部材
２ａ〜２ｅ  保護部材からなる背面部材
３ｂ，４ａ，４ｂ，５ａ，５ｂ，６ａ，６ｂ  伸縮性部材
７ａ〜７ｄ，８ａ〜８ｄ，９ａ〜９ｄ，１０ａ，１０ｂ  保護部材の絞り部分
１１ａ〜１１ｄ  保護部材の独立した列
１２ａ〜１２ｆ  伸縮性部材
１３  ゴムによる絞り部
１４  手首保護のためのベルト
１５  掌部
１６，１７，１８  前面保護部材と側面伸縮性部材との親指側縫製線
１９ａ〜１９ｇ  保護部材からなる指袋の側面
２１  第１指（親指）
２２  第２指（示指）
２３  第３指（中指）
２４  第４指（薬指）
２５  第５指（小指）
２６  末節骨
２７  中節骨
２８  基節骨
２９  中手骨
３０  手根
３１  橈骨
３２  尺骨
【図１】
2007325873.tif 000003
【図２】
2007325873.tif 000004
【図３】
2007325873.tif 000005
【図４】
2007325873.tif 000006
【図５】
2007325873.tif 000007
【図６】
2007325873.tif 000008
【図７】
2007325873.tif 000009
【図８】
2007325873.tif 000010
【図９】
2007325873.tif 000011